(57)【特許請求の範囲】
【請求項１】
人の顔を含む顔画像を被験者に提示し、
前記顔画像における前記顔の領域上に定められた要注視点との距離が互いに異なる複数の位置に視覚刺激を発生させ、
前記被験者が認識した前記視覚刺激の発生位置に基づいて前記被験者の視野を測定する、
ことを含み、
前記被験者の周辺視野における知覚閾下の前記視覚刺激を、前記被験者の周辺視野と視野外とに発生させることを特徴とする視野測定方法。
【請求項２】
前記視覚刺激が、前記周辺視野における知覚閾下の光度および発光時間で点灯する光点の発光であり、
前記要注視点からの距離または方向の少なくとも一方が互いに異なる複数の前記光点を順次点灯させ、
前記被験者が前記発光を認識した一または複数の前記光点と前記要注視点との最大距離に基づいて前記視野を決定する請求項１に記載の視野測定方法。
【請求項３】
前記視覚刺激が前記顔画像の画素値を変化させることによって与えられるとともに、
前記要注視点を囲む異径の複数の環状領域を前記顔画像に設け、前記環状領域に含まれる画素の画素値を前記周辺視野における知覚閾下で時間変化させ、前記画素値が変化したことを前記被験者が認識した一または複数の前記環状領域のうちの最大半径に基づいて前記視野を決定する請求項１に記載の視野測定方法。
【請求項４】
前記視覚刺激を間欠的または連続的に発生させている所定の刺激時間に亘って前記被験者の視線方向に関する視線データを取得する請求項１から３のいずれか一項に記載の視野測定方法。
【請求項５】
前記視線データと前記視覚刺激の発生位置を示す位置情報とに基づいて、前記被験者が認識した一または複数の前記視覚刺激の発生位置と前記被験者の目視点との最大距離を算出し、前記最大距離から前記視野を決定する請求項４に記載の視野測定方法。
【請求項６】
一の被験者と、美容専門家である他の被験者と、から請求項１から５のいずれか一項に記載の視野測定方法を用いて視野をそれぞれ測定し、
前記一の被験者の視野と、前記他の被験者の視野と、を対比して前記一の被験者に提示することを特徴とする視野測定方法。
【請求項７】
人の顔を含む顔画像を被験者に提示する顔画像提示手段と、
前記顔画像における前記顔の領域上に定められた要注視点との距離が互いに異なる複数の位置に視覚刺激を発生させる刺激発生手段と、
を備え、
前記刺激発生手段は、前記被験者の周辺視野における知覚閾下の前記視覚刺激を、前記被験者の周辺視野と視野外とに発生させる、
視野測定装置。
【発明の詳細な説明】
【技術分野】
【０００１】
本発明は、視野測定方法および視野測定装置に関する。
【背景技術】
【０００２】
被験者の視野の広さや視野欠損を測定するための方法や装置が提案されている。視野とは、網膜の黄斑部の中心にあたる中心窩を基準として、視覚刺激を処理することができる上下左右方向の視角の大きさである。視野については、次のように考えられている。健常者の視野は、垂直方向の上側が６０度程度、下側が７５度程度である。水平（左右）方向では、単眼の場合、鼻側が６０度程度、耳側が１００度程度である。よって、両眼では、正面を中心として左右に１２０度程度の視角が重複して観察される。このうち、中心窩から２０度程度の中央の円形の視野領域を中心視野とよび、その周囲の１２０度程度までのドーナツ状の視野領域を周辺視野という。一般に中心視野は周辺視野よりも空間分解能が高く、また周辺視野では色覚が失われる。
例えば、被験者が緑内障などの視覚障害を発症している場合には、視野の一部に欠損が生じている可能性があるため、視野を測定することで視覚障害の進行度合いを検査することができる。
【０００３】
視野は、被検眼を動かさず、視標となる視覚刺激の方を動かして、被験者が認識できる領域の最大範囲を測定して求めることが一般的である。視野の測定方法には、大別して静的視野測定と動的視野測定とがある。静的視野測定は、固定点の輝度を徐々に増加させながら網膜感度を調べる方法である。動的視野測定は、発光点を移動させて視覚機能を調べる方法である。動的視野測定のうち、視野全体を定量的に測定する方法を動的量的視野測定と呼称する。動的視野測定にはゴールドマン視野計を用いることが一般的である。
【０００４】
特許文献１には、被験者が視点を固定する固視点（要注視点）を表示し、視標となる発光点を固視点の周囲で渦巻状に移動させる視野測定法が記載されている。この方法では、発光点が視野範囲外から周辺視野に入った瞬間に被験者は発光点の存在を認識する。被験者は遅滞なく押しボタンなどの操作部を操作して、発光点を認識したことを回答する。これにより、被験者の周辺視野の最外位置が取得される。
【０００５】
特許文献２には、視覚刺激に対する被験者の目の動きを追尾し、視覚刺激の移動方向に視点が移動した場合に、被験者が視覚刺激を認識したと判定する視野検査システムが記載されている。このシステムによれば、被験者の主観的な回答操作によることなく、被験者が視覚刺激を視認可能な領域を客観的に判定することができるとされている。また、このシステムでは、被験者の現在の視点位置と要注視点との距離に基づいて、次の視覚刺激の表示位置が決定される。
【先行技術文献】
【特許文献】
【０００６】
【特許文献１】特開２００７−０７５３５０号公報
【特許文献２】特表２０１０−５２６６２３号公報
【発明の概要】
【発明が解決しようとする課題】
【０００７】
人の視野の広狭は、目視対象に強く注目しているか否かという心理的要因によって著しく変動する。特に、目視対象が人の顔である場合、人間は本能的にその目に注目することが経験的に知られている。一方、人の顔の美容判断や人の動作分析など、人を観察対象として各種の動作を行う場合には、顔の一部分に局所的に注目するのではなく、顔の全体、または顔を含む全身を観察することが好適な場合がある。このことは、後記の参考実験を用いて詳述する。そして、被験者の周辺視野の医学的な最大範囲ではなく、目視対象が顔であることによる心理的要因によって狭くなった視野（以下、狭視野）を測定することは極めて有用である。
【０００８】
これに対して、上記の特許文献１や特許文献２における視野の測定は、医学的見地から被験者の周辺視野の最大範囲を測定するものである。よって、これらの方法は、無地の背景の上で視覚刺激を渦巻状や直線状などの幾何学形状に沿って移動させるという、被験者の心理的要因を排した状態のもとで行われる。したがって、特許文献１や特許文献２の発明では、被験者の心理的要因に起因する狭視野を測定することはできない。
【０００９】
本発明は上述のような課題に鑑みてなされたものであり、人間の視野が心理的に狭くなりやすい特殊な状況における被験者の視野を定量的に測定するための方法および装置を提供するものである。
【課題を解決するための手段】
【００１０】
本発明の視野測定方法は、人の顔を含む顔画像を被験者に提示し、前記顔画像における前記顔の領域上に定められた要注視点との距離が互いに異なる複数の位置に視覚刺激を発生させ、前記被験者が認識した前記視覚刺激の発生位置に基づいて前記被験者の視野を測定することを特徴とする。
【００１１】
また、本発明の視野測定装置は、人の顔を含む顔画像を被験者に提示する顔画像提示手段と、前記顔画像における前記顔の領域上に定められた要注視点との距離が互いに異なる複数の位置に視覚刺激を発生させる刺激発生手段と、を備える。
【００１２】
上記発明によれば、被験者は顔画像を目視することにより本能的に狭視野になりやすい状態にある。この状態で、顔の領域上にある要注視点を目視すると、被験者の視野は特に狭くなりやすい。このように被験者の視野が特に心理的に狭くなりやすい特殊な状況を形成したうえで被験者の視野を測定することにより、顔その他の対象物に対する被験者の目視の傾向を好適に判定することができる。
【発明の効果】
【００１３】
本発明によれば、人間の視野が心理的に狭くなりやすい特殊な状況における被験者の視野を定量的に測定することができる。
【図面の簡単な説明】
【００１４】
【図１】本発明の実施形態にかかる視野測定装置の一例を示す構成図である。
【図２】本実施形態にかかる視野測定方法のフローチャートである。
【図３】顔画像の一例を示す図である。
【図４】顔画像および第一の視覚刺激を示す図である。
【図５】顔画像および第二の視覚刺激を示す図である。
【図６】視野決定ステップの変形例を示すフローチャートである。
【図７】人の顔を含まない風景画像を示す図である。
【図８】無地画像を示す図である。
【図９】顔画像に関するサブリミナル動画とフェードアウト動画について、各被験者の視野角の測定結果をプロットした散布図である。
【図１０】被験者の視野角の説明図である。
【図１１】風景画像に関するサブリミナル動画とフェードアウト動画について、各被験者の視野角の測定結果をプロットした散布図である。
【図１２】無地画像に関するサブリミナル動画とフェードアウト動画について、各被験者の視野角の測定結果をプロットした散布図である。
【図１３】参考実験２に用いた顔サンプル画像を示す図である。
【図１４】各集団の錯視正解率（％）を示すグラフである。
【図１５】顔画像のサブリミナル動画に対する視野角の大きい５人の集団と、同じく視野角の小さい５人の集団について、被験者の目と顔画像との距離を変化させた場合の錯視正解率の変化を示すグラフである。
【図１６】顔画像のフェードアウト動画に対する視野角の大きい５人の集団と、同じく視野角の小さい５人の集団について、被験者の目と顔画像との距離を変化させた場合の錯視正解率の変化を示すグラフである。
【図１７】顔画像のサブリミナル動画に対する視野角の大きい５人の集団と、同じく視野角の小さい５人の集団について、刺激提示時間を変化させた場合の錯視正解率の推移を示すグラフである。
【図１８】顔画像のフェードアウト動画に対する視野角の大きい５人の集団と、同じく視野角の小さい５人の集団について、刺激提示時間を変化させた場合の錯視正解率の推移を示すグラフである。
【発明を実施するための形態】
【００１５】
以下、本発明の実施形態を図面に基づいて説明する。尚、すべての図面において、同様な構成要素には同様の符号を付し、適宜説明を省略する。
【００１６】
（視野測定装置）
図１は、本発明の実施形態にかかる視野測定装置１００の一例を示す構成図である。
【００１７】
はじめに、本実施形態の概要について説明する。
視野測定装置１００は、人の顔を含む顔画像５０を被験者Ｓに提示する顔画像提示部１０と、顔画像５０における顔の領域上に定められた要注視点ＲＰとの距離が互いに異なる複数の位置に視覚刺激ＶＳを発生させる刺激発生部６０と、を備えている。
【００１８】
視野測定装置１００は、コンピュータプログラムを読み取って対応する処理動作を実行できるように、ＣＰＵ（Central Processing Unit）、ＲＯＭ（Read Only Memory）、ＲＡＭ（Random Access Memory）、Ｉ／Ｆ（Interface）ユニット、等の汎用デバイスで構築されたハードウェア、所定の処理動作を実行するように構築された専用の論理回路、これらの組み合わせ、等で構成されている。
【００１９】
視野測定装置１００は、視線取得部２０、視線データ蓄積部３０および専門家データ記憶部３２を更に備えている。顔画像提示部１０、視線取得部２０、視線データ蓄積部３０、専門家データ記憶部３２および刺激発生部６０は互いに接続されている。
【００２０】
顔画像提示部１０は、液晶ディスプレイやスクリーンなどの画像表示装置である。顔画像提示部１０は平面状であってもよく、または半球面状であってもよい。顔画像提示部１０は被験者Ｓに正対して配置される。顔画像提示部１０には顔画像５０が表示される。被験者Ｓは、この顔画像５０を目視する。
【００２１】
顔画像５０には要注視点ＲＰが設定されている。この要注視点ＲＰは、顔画像５０に表示される視標でもよく、または顔画像５０には表示されない仮想点でもよい。要注視点ＲＰは、顔画像５０における目の近傍に設定されることが好ましい。被験者Ｓは顔画像５０における目に本能的に注目するため、目またはその近傍に要注視点ＲＰを設定することで、被験者Ｓの視点が要注視点ＲＰに集中しやすい。
【００２２】
被験者Ｓが顔画像５０を目視している間に、刺激発生部６０は予め定められたパターンで顔画像５０に視覚刺激ＶＳを発生させる。刺激発生部６０は、具体的にはＣＰＵである。刺激発生部６０は、被験者Ｓの周辺視野における知覚閾下の視覚刺激ＶＳを、被験者Ｓの周辺視野と視野外とに発生させる。
【００２３】
人の中心視野は空間分解能および時間分解能が高く、知覚閾値が低い。一方、周辺視野は、中心視野よりも空間分解能および時間分解能が低く、知覚閾値は中心視野よりも高くなる。本実施形態では、周辺視野における知覚閾値よりも低い視覚刺激ＶＳを、被験者Ｓの視野外または周辺視野に発生させるため、被験者Ｓにとって周辺視野に発生した視覚刺激ＶＳは閾下（サブリミナル）刺激となる。したがって、被験者Ｓは、視野外に発生した視覚刺激ＶＳを認識せず、周辺視野に発生した視覚刺激ＶＳを無意識下で認識する。
【００２４】
なお、視覚刺激ＶＳの刺激強度は、中心視野における閾上（スプリミナル）刺激であってもよく、または中心視野における閾下（サブリミナル）刺激であってもよい。
【００２５】
刺激発生部６０は、視野外および周辺視野に加えて、視覚刺激ＶＳを被験者の中心視野に発生させてもよい。ただし、中心視野における閾上（スプリミナル）刺激の視覚刺激ＶＳを中心視野内に発生させると、被験者Ｓは当該視覚刺激ＶＳを意識下で察知して、要注視点ＲＰに注目する心理が緩和される。したがって、中心視野に視覚刺激ＶＳを発生させる場合は、視覚刺激ＶＳの刺激強度を中心視野における閾下とするか、または、視野外および周辺視野に所定回数の視覚刺激ＶＳを発生させた後に、中心視野に視覚刺激ＶＳを発生させるようにすることが好ましい。これにより、被験者Ｓが要注視点ＲＰに注目している状態における周辺視野の範囲を、被験者Ｓの無意識下で測定することができる。
【００２６】
同様の理由により、所定の刺激時間に亘って、視覚刺激ＶＳの発生を被験者Ｓに予告せずに間欠的または連続的にこれを発生させた後に、被験者Ｓが認識した視覚刺激ＶＳの発生位置に関する回答を被験者Ｓから取得するとよい。これにより、被験者Ｓが本能的に顔画像５０の要注視点ＲＰに注目して狭視野となっている状態を維持したままで、被験者Ｓの視野を測定することが可能である。具体的には、被験者Ｓからの回答に基づいて、要注視点ＲＰからの距離がどの程度までの視覚刺激ＶＳを被験者Ｓが認識したかを分析することで、顔画像５０を目視している状態における被験者Ｓの周辺視野の最大範囲を判定することができる。
【００２７】
視線取得部２０は、視覚刺激を間欠的または連続的に発生させている所定の刺激時間に亘って被験者の視線方向に関する視線データＶＤを取得する手段である。視線データ蓄積部３０は、被験者Ｓから取得した視線データＶＤを記憶しておくための記憶手段である。視線取得部２０には、眼検知装置（アイカメラ）を用いることができる。一例として、Ｔｏｂｉｉ社製の注視点追跡システム（アイトラッカー）を好適に用いることができる。
【００２８】
専門家データ記憶部３２は、美容専門家を被験者として上記のように視野を測定した結果（専門家視線データＰＤ）を記憶しておくための記憶手段である。視線取得部２０、視線データ蓄積部３０および専門家データ記憶部３２の使用態様は後述する。
【００２９】
（視野測定方法）
以下、本実施形態の視野測定装置１００を用いて行う視野測定方法（以下、本方法という場合がある）について説明する。図２は本方法のフローチャートである。
【００３０】
本方法の概要について説明する。本方法は、人の顔を含む顔画像５０を被験者Ｓに提示し（図２：ステップＳ１０）、顔画像５０における顔の領域上に定められた要注視点ＲＰとの距離が互いに異なる複数の位置に視覚刺激ＶＳを発生させ（図２：ステップＳ３０）、被験者Ｓが認識した視覚刺激ＶＳの発生位置に基づいて被験者Ｓの視野を測定する（図２：ステップＳ７０）ことを特徴とする。
【００３１】
つぎに、本方法を詳細に説明する。図３は顔画像５０の一例を示す図である。顔画像５０は、人の顔と認識できる対象物を被写体として含む画像である。人間の頭部のほか、人間の頭部を模した人形の画像またはコンピュータグラフィクスでもよい。
【００３２】
本方法では、視覚刺激ＶＳを、顔画像５０における頭髪ＨＲの領域（頭髪領域Ｒ１）上、および顔ＦＣと頭髪ＨＲを含む頭部ＨＤの外部領域（頭部外領域Ｒ２）上に発生させる。視覚刺激ＶＳを更に顔ＦＣの領域上に発生させてもよい。
【００３３】
要注視点ＲＰは、顔画像５０における両目の間または目ＥＹの近傍に設定されている。本方法における目ＥＹの近傍とは、顔画像５０における両目の外接円ＯＣの内部、またはこの外接円ＯＣ上を意味する。本実施形態の要注視点ＲＰは顔画像５０における両目の間に設定されている。本実施形態の要注視点ＲＰは、顔画像５０に表示される視標である。
【００３４】
本方法で顔画像５０に発生させる視覚刺激ＶＳは、上述のように一般的な人（被験者Ｓ）の周辺視野における知覚閾下の強度であり、かつ中心視野における閾上の強度の刺激である。視覚刺激ＶＳの具体的な態様は特に限定されない。視覚刺激ＶＳは、点もしくは点とみなしうる微小領域でもよく、または線もしくは面の領域でもよい。
【００３５】
顔画像５０における顔ＦＣの大きさは、一般的な成人の顔と略同等の大きさであることが好ましい。これにより、被験者Ｓが顔画像５０を目視した場合の視野が、被験者Ｓが実際の人間を目視した場合の視野と略同等となる。
【００３６】
ここで、顔画像５０に視覚刺激ＶＳを発生させるとは、被験者Ｓが顔画像５０を目視したときに視覚刺激ＶＳが顔画像５０に重畳された状態に視認されるようにすることをいう。具体的な例としては、顔画像５０における一または複数の画素の明度もしくは色成分と、その周囲の画素の明度もしくは色成分との比または逆比が所定以上となるように当該画素の画素値を変化させることが挙げられる。このほか、視覚刺激ＶＳは、顔画像５０の表面上または顔画像５０と被験者Ｓの被検眼との空間的な間隙に配置された、発光体などの視標でもよい。
【００３７】
以下、本方法では二通りの視覚刺激ＶＳを例示する。第一の視覚刺激ＶＳ１は光点の瞬間的な発光である。かかる光点の光度および発光時間を所定以下にすることで、第一の視覚刺激ＶＳ１の刺激強度を被験者Ｓの周辺視野における知覚閾下に抑制することができる。第二の視覚刺激ＶＳ２は、顔画像５０の画素値の変化である。各画素における画素値の変化速度を所定以下とし、また画素値を変化させる領域の移動速度を所定以下とすることで、第二の視覚刺激ＶＳ２の刺激強度を被験者Ｓの周辺視野における知覚閾下に抑制することができる。
【００３８】
本実施形態の視野測定装置１００においては、オペレータによる操作部（図示せず）の操作により、視覚刺激ＶＳの態様（モード）が選択される（図２：ステップＳ１０）。
【００３９】
ステップＳ１０において、被験者Ｓに対する顔画像５０の提示タイミングと刺激モードの選択タイミングとの先後は任意である。さらに、視覚刺激ＶＳの発生（ステップＳ３０）の開始タイミングと、顔画像５０を被験者Ｓに提示するタイミングの先後も任意である。すなわち本方法においては、被験者Ｓに顔画像５０を提示した後に視覚刺激ＶＳの発生を開始してもよく、または視覚刺激ＶＳの発生が既に開始している顔画像５０を被験者Ｓに提示してもよい。
【００４０】
（第一の視覚刺激）
図４は、顔画像５０および第一の視覚刺激ＶＳ１を示す図である。図４に示す第一の視覚刺激ＶＳ１は、上記のように、被験者Ｓの周辺視野における知覚閾下の光度および発光時間で点灯する光点１〜８（白丸で図示）の発光である。より具体的には、要注視点ＲＰからの距離または方向の少なくとも一方が互いに異なる複数の光点１〜８を順次点灯させ、被験者Ｓがその発光を認識した一または複数の光点１〜８と要注視点ＲＰとの最大距離に基づいて被験者Ｓの視野を決定する。
【００４１】
図４には、要注視点ＲＰを中心とする同心円ＣＣを便宜上図示しているが、かかる同心円ＣＣは被験者Ｓに提示されない。光点１〜８は、異なる径の同心円ＣＣ上にそれぞれ配置されている。光点１〜８のうち番号が小さいものほど、大径の同心円ＣＣ上に配置されている。したがって、光点１〜８を番号順に、かつ間欠的に発光させることで、あたかも顔画像５０の外縁から要注視点ＲＰに向かって縮径する螺旋状に光点が移動するように視認される第一の視覚刺激ＶＳ１が発生する。
【００４２】
オペレータは、被験者Ｓに対して、顔画像５０の目ＥＹまたは要注視点ＲＰに注目するように指示する。被験者Ｓが目ＥＹまたは要注視点ＲＰに視線をあわせている間に、光点１を短時間（単発光時間）に亘って発光させる。かかる発光は点灯でも点滅でもよい。単発光時間は、１ミリ秒以上１００ミリ秒未満が好ましく、１０ミリ秒以上５０ミリ秒以下が更に好ましい。発光時間が過小であると被験者Ｓによっては視野が過小に評価され、発光時間が過大であると被験者Ｓによっては第一の視覚刺激ＶＳ１が周辺視野における閾上刺激となる場合がある。上記範囲の単発光時間とすることで、光点１〜８の発光は被験者Ｓの閾下（サブリミナル）刺激となる。以下、かかる顔画像５０をサブリミナル動画と呼ぶ。
【００４３】
光点１〜８の一部（光点１〜４）は顔画像５０における頭部ＨＤの外部領域（頭部外領域Ｒ２）に設定されている。光点１〜８の他の一部（光点５〜７）は、顔画像５０における頭髪ＨＲの領域（頭髪領域Ｒ１）上に設定されている。光点１〜８の更に他の一部（光点８）は、顔画像５０における顔ＦＣの領域上に設定されている。光点８は一般的な被験者Ｓの中心視野に含まれる。
【００４４】
光点１〜８の発光が終了すると（図２：ステップＳ４０）、オペレータは被験者Ｓに対して、一以上の光点を発光させた事実を告知する。被験者Ｓは、意識下で認識した発光の位置を、口頭または顔画像５０へのポインティングにより回答する（図２：ステップＳ６０）。本方法において、総ての光点１〜８の位置は、要注視点ＲＰを中心として異なる方向にある。言い換えると、要注視点ＲＰを基端として光点１〜８を先端とする個々のベクトル（図示せず）は互いに一致しない。このため、被験者Ｓは、発光を認識した光点の位置のみならず、要注視点ＲＰを基端とする光点の方向を回答してもよい。これにより、被験者Ｓが認識した光点１〜８を容易に識別することができる。
【００４５】
また、光点１〜８は、要注視点ＲＰからの距離が互いにすべて異なっている。視野決定ステップＳ７０では、被験者Ｓが認識した光点（たとえば、光点６〜８）のうち、要注視点ＲＰからの距離が最大であるもの（光点６）を、被験者Ｓの周辺視野の外縁と定める。そして、当該光点（光点６）が載る同心円ＣＣの半径を、顔画像５０を目視しているときの被験者Ｓの狭視野の範囲と決定する。
【００４６】
（第二の視覚刺激）
図５は、顔画像５０および第二の視覚刺激ＶＳ２を示す図である。図５に示す第二の視覚刺激ＶＳ２は、顔画像５０の画素値を変化させることによって与えられる動画像である。具体的には、要注視点ＲＰを囲む異径の複数の環状領域ＣＡを顔画像５０に設ける。環状領域ＣＡに含まれる画素の画素値を、周辺視野における知覚閾下で時間変化させる。そして、画素値が変化したことを被験者Ｓが認識した一または複数の環状領域ＣＡのうちの最大半径に基づいて視野を決定する。
【００４７】
図５にも、要注視点ＲＰを中心とする同心円ＣＣが便宜上図示されているが、かかる同心円ＣＣは被験者Ｓに提示されない。環状領域ＣＡは、同心円ＣＣで隔てられた領域であり、多数の画素を包含している。図中の（１）〜（８）の数字は、要注視点ＲＰを中心として、遠位にある環状領域ＣＡ（１）から近位にある環状領域ＣＡ（７）、さらに中心の円形領域（８）に向かって順に符号を付したものである。
【００４８】
オペレータは、被験者Ｓに対して、顔画像５０の目ＥＹまたは要注視点ＲＰに注目するように指示する。被験者Ｓが目ＥＹまたは要注視点ＲＰに視線をあわせている間に、環状領域ＣＡ（１）に含まれる画素の画素値を変化させる。本方法では、変化前の明度を所定の割合（変化比率）だけ増大させる。この変化比率が過小であると、被験者Ｓによっては画素値の変化を知得することができず視野が過小に評価される。また、変化比率が過大であると被験者Ｓによっては第二の視覚刺激ＶＳ２が周辺視野における閾上刺激となる場合がある。本方法では、環状領域ＣＡに含まれる画素の明度または輝度を、１０％以上５０％未満の増加率にて増大させることが好ましい。以下、かかる顔画像５０をフェードアウト動画と呼ぶ。
【００４９】
環状領域ＣＡ（１）からＣＡ（３）は、顔画像５０における頭部ＨＤの外部領域（頭部外領域Ｒ２）に設定されている。環状領域ＣＡ（４）およびＣＡ（５）は、顔画像５０における頭髪ＨＲの領域（頭髪領域Ｒ１）上に設定されている。環状領域ＣＡ（６）およびＣＡ（７）は、顔ＦＣの一部または全部を包含している。
【００５０】
環状領域ＣＡ（１）に含まれる画素の明度を所定の割合（変化比率）で変化させた後、当該環状領域ＣＡ（１）の内側に隣接する環状領域ＣＡ（２）に含まれる画素の明度の変化を開始させる。以下順に環状領域ＣＡ（７）まで、各環状領域に含まれる画素の明度を変化させる。更に、環状領域ＣＡ（７）の内側の、要注視点ＲＰを含む円形領域（８）の明度を変化させると、第二の視覚刺激ＶＳ２の発生が終了する（図２：ステップＳ４０）。
【００５１】
以下、オペレータは被験者Ｓに対して、顔画像５０の画素値を変化させた事実を告知する。被験者Ｓは、画素値の変化を意識下で認識した位置を、口頭または顔画像５０へのポインティングにより回答する（図２：ステップＳ６０）。
【００５２】
ここで、環状領域ＣＡの数は特に限定されないが、これを５以上とすることで、被験者Ｓの視野を実用的な解像度で測定することができる。また、環状領域ＣＡの数は２０以下が好ましい。環状領域ＣＡの数が過大であると、個々の環状領域ＣＡの幅寸法が微小となるため、顔画像５０の外縁から要注視点ＲＰに向かって、画素値が変化する画素が実質的に連続的に進行することとなる。これにより、被験者Ｓが画素値の変化に気づきにくくなって視野が過小に評価される。これに対し、環状領域ＣＡの数が上記の範囲内であると、個々の環状領域ＣＡが所定の幅寸法をもつため、画素値が変化する領域が要注視点ＲＰに向かって段階的に進行することとなる。これにより、被験者Ｓは、周辺視野の内側の画素の画素値が変化したことを意識下で好適に認識することができる。
【００５３】
視野決定ステップＳ７０では、画素値の変化を被験者Ｓが最初に認識した環状領域ＣＡを、被験者Ｓの周辺視野の外縁と定める。具体的には、環状領域ＣＡの幅中心の半径、または環状領域ＣＡの内周縁の半径を、顔画像５０を目視しているときの被験者Ｓの狭視野の範囲と決定する。
【００５４】
（その他の工程）
視野提示ステップＳ８０では、視野決定ステップＳ７０で決定された視野を被験者Ｓに提示する。ここで、視野を提示するとは、視野の範囲を提示する場合のほか、顔画像５０と被験者Ｓとの位置関係および上記視野に基づいて算出される視角を提示する場合を含む。
【００５５】
本方法では、一の被験者Ｓと、美容専門家である他の被験者と、から上記の視野測定方法を用いて視野をそれぞれ測定する。美容専門家の視野を表す専門家視線データＰＤは、専門家データ記憶部３２（図１を参照）に記憶されている。被験者Ｓは美容の素人（美容非専門家）であるとする。そして、一の被験者Ｓの視野（素人視野）と、他の被験者（美容専門家）の視野（専門家視野）と、を対比して一の被験者Ｓに提示する。これにより、人の顔を目視するときに美容専門家と美容非専門家とで視野範囲が異なることを被験者Ｓに対して定量的に示すことができる。具体的には、要注視点ＲＰを中心とする二つの円形を顔画像５０に重畳的に表示することにより、被験者Ｓの視野と美容専門家の視野を対比するとよい。
【００５６】
（視線追跡）
本方法では、視線取得部２０を用いて、視覚刺激ＶＳを目視する被験者Ｓの視線データＶＤを取得し、これを視線データ蓄積部３０に記憶する（図１を参照）。具体的には、視線取得部２０は、被験者Ｓの頭部に向かって赤外線などの光ビームを照射するとともに、その反射光を受光する。視線取得部２０は、受光光を画像化し、画素のコントラストに基づいて被験者Ｓの瞳孔位置を算出することで、被験者Ｓの目の位置を検出してその視点位置（視線方向）を数値データまたは画像データとして取得する。
【００５７】
顔画像５０を被験者Ｓに提示（図２：ステップＳ１０）した後に、被験者Ｓの視線データＶＤの取得を開始する（図２：ステップＳ２０）。ただし、視線データＶＤの取得開始のタイミングは図２に限定されるものではなく、視覚刺激ＶＳの発生を開始（図２：ステップＳ３０）した後でもよい。そして、視覚刺激ＶＳの発生を停止（図２：ステップＳ４０）後に、視線データＶＤの取得を終了する（図２：ステップＳ５０）。
【００５８】
被験者Ｓの視線データＶＤを取得することにより、視覚刺激ＶＳの発生中に被験者Ｓが要注視点ＲＰを注目しているか否かを把握することができる。また、視線データＶＤを用いることで、被験者Ｓの視野を高精度で測定することができる。以下説明する。
【００５９】
図６は、視野決定ステップＳ７０の変形例を示すフローチャートである。視線取得部２０が視線データＶＤを取得すると、視野測定装置１００のＣＰＵは、被験者Ｓの視点位置が要注視点ＲＰから所定の正常範囲内に含まれているか否かを判定（図６：ステップＳ７１）する。被験者Ｓの視点位置が正常範囲内に収まっていないと判定された場合には（図６：ステップＳ７１＝ＮＯ）、かかる判定結果を示す報知出力を行うとともに視野測定を中止してもよい。
【００６０】
正常の視点位置であると判定された場合には（図６：ステップＳ７１＝ＹＥＳ）、視覚刺激ＶＳの発生履歴を示す刺激履歴データと、視線データＶＤとを時刻情報に基づいて同期させる（図６：ステップＳ７２）。刺激履歴データと視線データＶＤは、相互に対応づけが可能な時刻情報を共に包含している。これにより、視覚刺激ＶＳの発生位置と、その瞬間の被験者Ｓの目視点との乖離距離が算出される（図６：ステップＳ７３）。
【００６１】
オペレータは、被験者Ｓが意識下で認識した視覚刺激ＶＳ（図４の光点１〜８、または図５の環状領域ＣＡ）に関する回答を受け付けると（図２：ステップＳ６０）、上記の乖離距離の最大値に基づいて、目視点からの最大距離を算出する（図６：ステップＳ７４）。かかる最大距離を、被験者Ｓの周辺視野の最大範囲とする。
【００６２】
すなわち、本方法では、視線データＶＤと視覚刺激ＶＳの発生位置を示す位置情報とに基づいて、被験者Ｓが認識した一または複数の視覚刺激ＶＳの発生位置と被験者Ｓの目視点との最大距離を算出する。そして、この最大距離から被験者Ｓの視野を決定する。
【００６３】
これにより、被験者Ｓの視点が無意識のうちに要注視点ＲＰから離間していた場合でも被験者Ｓの狭視野を好適に測定することができる。
【００６４】
以下、本実施形態の視野測定方法の如く人の顔を目視した場合の視野範囲を測定することが有効であることを示す参考実験の結果を説明する。
【００６５】
＜参考実験１＞
参考実験１では、美容専門家の視野と美容非専門家の視野との広狭の差異が目視対象によって変化し、特にこれが人の顔である場合に顕著な差異となることを検証した。
図７は、人の顔を含まない風景画像５１を示す図である。風景画像５１はカラー画像である。図８は、無地画像５２を示す図である。風景画像５１および無地画像５２には、要注視点ＲＰと、要注視点ＲＰを中心とする同心円ＣＣが内部的に設定されている。要注視点ＲＰは、風景画像５１および無地画像５２のそれぞれ中心付近に設定されている。なお、図７および図８では要注視点ＲＰおよび同心円ＣＣを便宜上図示しているが、これらは被験者Ｓには提示されない。図７および図８の各同心円ＣＣ上には、図４の顔画像５０（サブリミナル動画）と同様に光点１〜８が配置されている。すなわち、図７は風景画像５１のサブリミナル動画であり、図８は無地画像５２のサブリミナル動画である。
【００６６】
さらに、図７の風景画像５１に加えて、図５の顔画像５０（フェードアウト動画）と同様に要注視点ＲＰを中心とする環状領域ＣＡを画成し、遠位にある環状領域ＣＡから近位にある環状領域ＣＡに向かって、各環状領域ＣＡに含まれる画素の画素値を変化させるフェードアウト動画（図示せず）を用意した。また、図８の無地画像５２に関しても、同様にフェードアウト動画を用意した。
【００６７】
顔画像５０、風景画像５１、無地画像５２のサブリミナル動画およびフェードアウト動画について、２０人の被験者Ｓによる視野の測定を実施した。２０人の被験者Ｓのうち、美容専門家は５人、美容非専門家は１５人とした。
【００６８】
図４に示すサブリミナル動画において、顔画像５０を被験者に提示してから所定時間経過後に光点１を発光させた。そして、光点１、光点２、・・・と次の光点が発光するまでの時間（発光間隔）を２秒として、光点８までを順番に、かつ間欠的に１回ずつ発光させた。したがって、光点１の発光から光点８の発光までの時間は１４秒である。光点１から光点８の個々の点灯時間は３０ミリ秒とした。すなわち、このサブリミナル動画は、０．０３秒の発光と１．９７秒の非発光とを繰り返す動画像である。以下、光点１の発光開始から光点８の発光終了までの時間を、サブリミナル動画における刺激提示時間という。
【００６９】
図５に示すフェードアウト動画に関しては、顔画像５０の提示開始より、環状領域ＣＡ（１）から環状領域ＣＡ（７）、そして円形領域（８）まで、順番にかつ連続的に、各領域内の画素の明度を２０％だけ増大させた。各領域の画素の明度を３秒〜４秒で増大させ、顔画像５０の全体の明度を合計約３０秒で増大させた。以下、環状領域ＣＡ（１）の画素値の変化開始から円形領域（８）の画素値の変化終了までの時間を、フェードアウト動画における刺激提示時間という。
【００７０】
図７の風景画像５１および図８の無地画像５２に関しても、サブリミナル動画とフェードアウト動画における視覚刺激は顔画像５０と同様とした。
【００７１】
図９は、顔画像５０に関するサブリミナル動画とフェードアウト動画について、各被験者Ｓの視野角の測定結果をプロットした散布図である。美容専門家の測定結果を円で囲んである。視野角は、被験者Ｓが視覚刺激を認識した最大範囲ＦＯＶを表す頂角θ（図１０を参照）である。図４、図５に示す顔画像５０の縦寸法は２８．５ｃｍ、横寸法は３８ｃｍ、被験者Ｓから顔画像５０までの距離を４５ｃｍとした。風景画像５１および無地画像５２に関しても同様とした。
【００７２】
図９の結果から、人の顔を含む顔画像５０の場合、サブリミナル動画とフェードアウト動画との相違によらず、美容専門家の視野は美容非専門家の視野に比べて顕著に広いことが分かった。
【００７３】
図１１は、風景画像５１に関するサブリミナル動画とフェードアウト動画について、各被験者Ｓの視野角の測定結果をプロットした散布図である。図１２は、無地画像５２に関するサブリミナル動画とフェードアウト動画について、各被験者Ｓの視野角の測定結果をプロットした散布図である。
【００７４】
図１１と図１２の結果から、美容専門家と美容非専門家の視野の広狭に有意な差異は見られなかった。すなわち、被験者Ｓのうち、美容専門家の視野が美容非専門家の視野よりも医学的に元々広かったわけではないことが分かる。したがって、美容専門家が美容非専門家に比べて広い視野で人の顔を目視するという傾向は、訓練または経験によって美容専門家が身に付けた能力であると考えられる。
【００７５】
＜参考実験２＞
参考実験２では、美容専門家が美容非専門家に比べて、肌色の見え方の印象変化に関して高い感度をもっていることを検証した。図１３は、参考実験２に用いた顔サンプル画像５３を示す図である。
【００７６】
本発明者の検討によれば、色の同化や対比などの視覚的効果によって、髪色を変化させた場合に肌色の見え方が変化することが明らかとなっている。より具体的には、髪色の明度を変化させた場合には、対比効果が生じて、肌色の見た目の明度が反対方向に変化することが実験的に明らかとなっている。そして、髪色の彩度または色相を変化させた場合には、同化効果が生じて、肌色の見た目の彩度または色相が同方向に変化することが実験的に明らかとなっている。したがって、染毛料等を用いて髪色を変化させる場合には、髪色の変化に起因して肌色の見え方が変化する錯視効果を考慮して、髪色と肌色との似合いを判断することが好ましい。
【００７７】
（錯視試験）
そこで、図１３に示す頭髪ＨＲの彩度・明度・色相を変化させた場合に、顔ＦＣの肌色に同化効果または対比効果（以下、あわせて錯視効果）が生じることを被験者Ｓが正確に判断できるか否かをもって、人の顔の美容判断の的確性を測定した。具体的には、まず図１３の顔サンプル画像５３と、当該顔サンプル画像５３の頭髪ＨＲの彩度を７％（＝７／１００）だけ増加させた他の画像（高彩度画像：図示せず）とを被験者Ｓに対比観察させた。そして、どちらの肌色が鮮やか、すなわち彩度が高く見えるかを、強制二者択一法で回答させた。高彩度画像の肌色が鮮やかに見えるという回答が正解である。
同様に、図１３に示す頭髪ＨＲの明度を７％（＝７／１００）だけ増加させた高明度画像（図示せず）と、逆に明度を７％（＝７／１００）だけ低下させた低明度画像（図示せず）を用意し、それぞれの画像と図１３の顔サンプル画像５３とを被験者Ｓに対比観察させた。そして、どちらの肌色の明度が高く見えるかを、強制二者択一法で回答させた。髪色と肌色との明度の対比効果によって、高明度画像の肌色は元の顔サンプル画像５３の肌色よりも暗く（低明度に）見え、逆に低明度画像の肌色は元の顔サンプル画像５３の肌色よりも明るく（高明度に）見えるという回答が正解である。
さらに、図１３に示す頭髪ＨＲの色相に関して、約２％（＝７／３６０）だけ黄味を帯びさせた（以下、色相を高くした）高色相画像（図示せず）と、逆に約２％（＝７／３６０）だけ赤味を帯びさせた（以下、色相を低くした）低色相画像（図示せず）を用意し、それぞれの画像と図１３の顔サンプル画像５３とを被験者Ｓに個別に対比観察させた。そして、どちらの肌色の色相が高く見えるかを、強制二者択一法で回答させた。髪色と肌色との色相の同化効果によって、高色相画像の肌色の色相は高く（黄味を帯びて）見え、低色相画像の肌色の色相は低く（赤味を帯びて）見えるという回答が正解である。
【００７８】
これらの錯視効果による肌色の見え方の繊細な変化に関して、以下の集団の正解率を算出した。
（１）顔広視野集団：図９で右上にプロットされた、顔画像５０に対する視野角が大きい５人の被験者Ｓの集団。
（２）顔狭視野集団：図９で左下にプロットされた、顔画像５０に対する視野角が小さい５人の被験者Ｓの集団。
（３）風景広視野集団：図１１で右上にプロットされた、風景画像５１に対する視野角が大きい５人の被験者Ｓの集団。
（４）風景狭視野集団：図１１で左下にプロットされた、風景画像５１に対する視野角が小さい５人の被験者Ｓの集団。
（５）無地広視野集団：図１２で右上にプロットされた、無地画像５２に対する視野角が大きい５人の被験者Ｓの集団。
（６）無地狭視野集団：図１２で左下にプロットされた、無地画像５２に対する視野角が小さい５人の被験者Ｓの集団。
【００７９】
図１４は、上記（１）〜（６）の各集団の錯視正解率（％）を示すグラフである。各集団の錯視正解率は、（１）顔広視野集団＝９２％、（２）顔狭視野集団＝４８％、（３）風景広視野集団＝７２％、（４）風景狭視野集団＝６４％、（５）無地広視野集団＝６４％、（６）無地狭視野集団＝６８％であった。なお、強制二者択一法であるため、当て推量による回答の錯視正解率は５０％である。
【００８０】
この結果より、顔画像５０に対する視野角が大きい顔広視野集団は錯視正解率が顕著に高く、顔狭視野集団の錯視正解率に対して約２倍となった。これに対し、風景広視野集団と風景狭視野集団の錯視正解率に有意な差異は見られなかった。同様に、無地広視野集団と無地狭視野集団の錯視正解率にも有意な差異は見られなかった。この結果より、美容判断においては美容専門家のように人の頭部を広い視野で観察することが有効であることが分かった。
【００８１】
＜参考実験３＞
視野を広げることにより錯視正解率が向上することを検証した。図１５は、顔画像５０のサブリミナル動画に対する視野角の大きい５人の集団（１ａ）と、同じく視野角の小さい５人の集団（２ａ）について、被験者Ｓの目と顔画像５０との距離を４５ｃｍ、９０ｃｍ、１３５ｃｍに変化させた場合の錯視正解率の変化を示すグラフである。
図１６は、顔画像５０のフェードアウト動画に対する視野角の大きい５人の集団（１ｂ）と、同じく視野角の小さい５人の集団（２ｂ）について、被験者Ｓの目と顔画像５０との距離を４５ｃｍ、９０ｃｍ、１３５ｃｍに変化させた場合の錯視正解率の変化を示すグラフである。
【００８２】
図１５および図１６の結果より、視野角の小さい被験者Ｓでも、遠い距離から顔画像５０を観察することで、頭部ＨＤの全体を観察することができ、結果として錯視効果の発生を正確に判断できるようになることが分かった。
【００８３】
これにより、美容判断にあたっては、頭髪ＨＲや顔ＦＣを局所的に観察するのではなく、頭部ＨＤの全体を大局的に観察することが有効であることが明らかとなった。したがって、本実施形態の視野測定装置１００を用いて行う視野測定方法により、顔画像５０に対する被験者Ｓの視野を測定することが有効である。そして、被験者Ｓの視野が十分でない場合には、測定結果を専門家視線データＰＤと対比して提示することが有効である。
【００８４】
＜参考実験４＞
視覚刺激ＶＳの付与時間に好適な数値範囲があることを明らかにした。参考実験１と同様に顔画像５０のサブリミナル動画（図４）を被験者に目視させて視野角を測定した。本実験では、１５人の被験者に対して、５秒間の刺激提示時間（光点１の発光開始から光点８の発光終了までの時間）に亘って顔画像５０および第一の視覚刺激ＶＳ１を提示した。光点１から光点８の個々の発光時間は参考実験１と同様に３０ミリ秒とし、各光点の発光間隔を均等とした。光点８の発光の終了後に、当該被験者が発光を認識した光点を口頭で回答させて、参考実験１と同様に視野角を算出した。
【００８５】
その結果から、顔画像５０のサブリミナル動画に対する視野角の大きい５人の集団（１ａ）と、同じく視野角の小さい５人の集団（２ａ）とを抽出した。
この集団（１ａ）と（２ａ）に対して、参考実験２および参考実験３と同様に図１３の顔サンプル画像５３とその高彩度画像を用いた錯視試験を実施して、錯視正解率を求めた。
【００８６】
以上と同様の視野角測定および錯視試験を、異なる１５人の被験者に対して、刺激提示時間を５秒から１０秒に代えて実施した。更に、異なる１５人の被験者を１２組用意し、刺激提示時間を、１５秒、２０秒、２５秒、３０秒、３５秒、４０秒、４５秒、５０秒、６０秒、７５秒、９０秒、１２０秒と変化させて、同様の視野角測定および錯視試験を行った。刺激提示時間と錯視正解率との関係を図１７に示す。
【００８７】
つぎに、更に異なる１５人の被験者に対して、顔画像５０のフェードアウト動画（図５）を目視させて視野角を測定した。このときの刺激提示時間（環状領域ＣＡ（１）の画素値の変化開始から円形領域（８）の画素値の変化終了までの時間）も５秒とした。視野角の大きい５人の集団（１ｂ）と、同じく視野角の小さい５人の集団（２ｂ）とを抽出した。この集団（１ｂ）と（２ｂ）に対して、上記と同様に錯視試験を実施して錯視正解率を求めた。
【００８８】
更に異なる１５人の被験者を１３組用意して、刺激提示時間を、１０秒、１５秒、２０秒、２５秒、３０秒、３５秒、４０秒、４５秒、５０秒、６０秒、７５秒、９０秒、１２０秒と変化させて、同様にフェードアウト動画に対する視野角測定、および錯視試験を行った。刺激提示時間と錯視正解率との関係を図１８に示す。
【００８９】
図１７および図１８の結果より、視野角が大きい集団（１ａ）および（１ｂ）は、刺激提示時間が１５秒以上４５秒以下の場合に、特に高い錯視正解率になることが分かった。これは、１５秒以上の刺激提示時間であることで、落ち着いて十分な注意をもって顔画像５０を目視できたためと推察される。また、刺激提示時間が４５秒以下であることで、被験者Ｓの脳が自発活動を始める前に刺激の発生が終了したため、要注視点ＲＰを中心とする顔画像５０の全体観察が集中力を持続したまま行われたものと推察される。
【００９０】
これに対し、刺激提示時間が５０秒以上になると、視野角が小さい集団（２ａ）および（２ｂ）の錯視正解率が、集団（１ａ）および（１ｂ）と略同等となった。これは、４５秒を超える刺激提示を受けて、いずれの集団の被験者も脳が無意識のうちに自発活動を初めて視点が移動を始め、結果として要注視点ＲＰへの注視が失われたためと推察される。すなわち、刺激提示時間が長くなると被験者の視点が無意識のうちに移動し始めるため視野角の測定精度が低下し、顔画像５０の全体観察が可能で錯視正解率が高い集団と、視野角の大きい集団とが一致しなくなったためと考えられる。
【００９１】
したがって、被験者Ｓの視野を測定するにあたっては、視覚刺激ＶＳを間欠的または連続的に発生させている刺激時間が１５秒以上４５秒以下であることが好ましい。１５秒以上であることで被験者Ｓの視点が要注視点ＲＰに定まって顔画像５０の好適な全体観察が可能となる。また、４５秒以下であることで、顔画像５０の要注視点ＲＰへの注視が継続でき、周辺視野の内側に発生した視覚刺激ＶＳを的確に認識することが可能である。
【００９２】
上記実施形態は、以下の技術思想を包含するものである。
（１）人の顔を含む顔画像を被験者に提示し、前記顔画像における前記顔の領域上に定められた要注視点との距離が互いに異なる複数の位置に視覚刺激を発生させ、前記被験者が認識した前記視覚刺激の発生位置に基づいて前記被験者の視野を測定することを特徴とする視野測定方法；
（２）前記視覚刺激を、前記顔画像における頭髪の領域上、および前記顔と前記頭髪を含む頭部の外部領域上に発生させることを特徴とする請求項１に記載の視野測定方法；
（３）前記要注視点が、前記顔画像における両目の間または目の近傍である上記（１）または（２）に記載の視野測定方法；
（４）前記被験者の周辺視野における知覚閾下の前記視覚刺激を、前記被験者の周辺視野と視野外とに発生させる上記（１）から（３）のいずれかに記載の視野測定方法；
（５）前記視覚刺激が、前記周辺視野における知覚閾下の光度および発光時間で点灯する光点の発光であり、前記要注視点からの距離または方向の少なくとも一方が互いに異なる複数の前記光点を順次点灯させ、前記被験者が前記発光を認識した一または複数の前記光点と前記要注視点との最大距離に基づいて前記視野を決定する上記（４）に記載の視野測定方法；
（６）前記視覚刺激が前記顔画像の画素値を変化させることによって与えられるとともに、前記要注視点を囲む異径の複数の環状領域を前記顔画像に設け、前記環状領域に含まれる画素の画素値を前記周辺視野における知覚閾下で時間変化させ、前記画素値が変化したことを前記被験者が認識した一または複数の前記環状領域のうちの最大半径に基づいて前記視野を決定する上記（４）に記載の視野測定方法；
（７）前記視覚刺激の発生を前記被験者に予告せずに所定の刺激時間に亘って前記視覚刺激を間欠的または連続的に発生させた後に、前記被験者が認識した前記視覚刺激の発生位置に関する回答を前記被験者から取得する上記（１）から（６）のいずれかに記載の視野測定方法；
（８）前記視覚刺激を間欠的または連続的に発生させている所定の刺激時間に亘って前記被験者の視線方向に関する視線データを取得する上記（１）から（７）のいずれかに記載の視野測定方法；
（９）前記視線データと前記視覚刺激の発生位置を示す位置情報とに基づいて、前記被験者が認識した一または複数の前記視覚刺激の発生位置と前記被験者の目視点との最大距離を算出し、前記最大距離から前記視野を決定する上記（８）に記載の視野測定方法；
（１０）前記視覚刺激を間欠的または連続的に発生させている刺激時間が１５秒以上４５秒以下である上記（１）から（９）のいずれかに記載の視野測定方法；
（１１）一の被験者と、美容専門家である他の被験者と、から上記（１）から（１０）のいずれかに記載の視野測定方法を用いて視野をそれぞれ測定し、前記一の被験者の視野と、前記他の被験者の視野と、を対比して前記一の被験者に提示することを特徴とする視野測定方法；
（１２）人の顔を含む顔画像を被験者に提示する顔画像提示手段と、前記顔画像における前記顔の領域上に定められた要注視点との距離が互いに異なる複数の位置に視覚刺激を発生させる刺激発生手段と、を備える視野測定装置。
【００９３】
本発明の視野測定方法は、順番に記載された複数の工程を用いて説明される場合があるが、その記載の順番は複数の工程を実行する順番やタイミングを限定するものではない。このため、本発明の視野測定方法を実施するときには、その複数の工程の順番は内容的に支障のない範囲で変更することができ、また複数の工程の実行タイミングの一部または全部が互いに重複していてもよい。
また、本発明の視野測定装置の各種の構成要素は、その機能を実現するように形成されていればよく、たとえば、所定の機能を発揮する専用のハードウェア、所定の機能がコンピュータプログラムにより付与されたデータ処理装置または画像処理装置、コンピュータプログラムによりデータ処理装置または画像処理装置に実現された所定の機能、これらの任意の組み合わせ、等として実現することができる。本発明の視野測定装置の各種の構成要素は、個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等を許容する。
【符号の説明】
【００９４】
１〜８：光点、１０：顔画像提示部、２０：視線取得部、３０：視線データ蓄積部、３２：専門家データ記憶部、５０：顔画像、５１：風景画像、５２：無地画像、５３：顔サンプル画像、６０：刺激発生部、１００：視野測定装置、θ：頂角、ＣＡ：環状領域、ＣＣ：同心円、ＥＹ：目、ＦＣ：顔、ＦＯＶ：最大範囲、ＨＤ：頭部、ＨＲ：頭髪、ＯＣ：外接円、ＰＤ：専門家視線データ、Ｒ１：頭髪領域、Ｒ２：頭部外領域、ＲＰ：要注視点、Ｓ：被験者、ＶＤ：視線データ、ＶＳ：視覚刺激、ＶＳ１：第一の視覚刺激、ＶＳ２：第二の視覚刺激
【図１】
0005876704.tif 000002
【図２】
0005876704.tif 000003
【図６】
0005876704.tif 000004
【図８】
0005876704.tif 000005
【図９】
0005876704.tif 000006
【図１０】
0005876704.tif 000007
【図１１】
0005876704.tif 000008
【図１２】
0005876704.tif 000009
【図１３】
0005876704.tif 000010
【図１４】
0005876704.tif 000011
【図１５】
0005876704.tif 000012
【図１６】
0005876704.tif 000013
【図１７】
0005876704.tif 000014
【図１８】
0005876704.tif 000015
【図３】
0005876704.tif 000016
【図４】
0005876704.tif 000017
【図５】
0005876704.tif 000018
【図７】
0005876704.tif 000019